(57)【要約】【課題】    フィルタ機能を備えた測定装置でのフィルタ機能の設定し忘れを報知したり、フィルタ機能有り無しによる測定値の差を知らせることで、漏電箇所等の特定を素早く検出できる測定装置を提供する。【解決手段】  測定装置の信号処理部が、フィルタを介して入力された信号と、フィルタを介さないで入力された信号とを同時に入力して比較し、フィルタが設定されていない旨、あるいはフィルタによって生ずる測定値の差分、または、あるいは両方の測定値を出力する。【選択図】      図１
2020026958.tif 000002
【特許請求の範囲】
【請求項１】
センサが取得した測定対象電線の信号が入力され測定値を演算する演算手段を含む信号処理部を有し、
前記信号が前記信号処理部に入力される経路には、フィルタを介して前記信号処理部に入力される経路と、前記フィルタを介さずに前記信号処理部に入力される経路とを有する、
測定装置であって、
前記フィルタを介さない信号と、前記フィルタを介した信号とが並列して前記信号処理部に入力され、
前記信号処理部は、フィルタを介さない信号の測定値とフィルタを介した信号の測定値とを比較する比較手段を有する
ことを特徴とする測定装置。
【請求項２】
請求項１記載の測定装置において、
前記信号処理部は、前記フィルタを介さない信号の測定値と前記フィルタを介した信号の測定値との差が所定値以上である場合には、フィルタ設定を促す報知を行う手段を有することを特徴とする測定装置。
【請求項３】
請求項１または２に記載の測定装置において、
前記信号処理部は、前記フィルタを介さない信号の測定値と前記フィルタを介した信号の測定値との差が所定値以上である場合には、その旨を報知する、または、測定値の両方の測定値を出力することを特徴とする測定装置。
【請求項４】
請求項１から３のいずれか１項に記載の測定装置において、
前記信号処理部は、前記フィルタを介さない信号の測定値と前記フィルタを介した信号の測定値との差の値を出力する手段を備える
ことを特徴とする測定装置。
【請求項５】
請求項１から４のいずれか１項に記載の測定装置において、
前記測定装置は、クランプセンサを介して測定対象電線の電流を測定するクランプメータであって、前記フィルタは、商用周波数より高い周波数成分を除去するローパスフィルタであり、
前記測定対象電線の漏れ電流を測定するときは、前記ローパスフィルタにより商用周波数より高い周波数成分を除去した漏れ電流の測定を行う
ことを特徴とする測定装置。
【発明の詳細な説明】
【技術分野】
【０００１】
本発明は、測定装置に関する。本発明は、特に測定対象電線の電流あるいは電圧・電力等を測定する測定装置に関する。
【背景技術】
【０００２】
漏れ電流が生じているときの分電盤等での漏れ電流箇所の探索にクランプメータが用いられている。このクランプメータは、活線状態にある測定対象電線に電流センサであるクランプセンサを装着して測定対象電線の電流を測定する。クランプセンサは、磁気コアや検出コイルからなっており、このクランプセンサは、測定装置と一体となって、クランプメータ全体を構成している。
【０００３】
クランプメータには、ローパスフィルタ（ＬＰＦ）が設けられていて、クランプセンサで取得した信号をローパスフィルタを介して、測定装置の信号処理部に選択可能に入力するものがある。
【０００４】
このようなクランプメータの構成の一例を図６を用いて説明する
このクランプメータは、電流センサ１０と測定装置本体２０とを備え、測定用途に応じて、電流センサ１０が選択されて測定装置本体２０に接続される。電流センサ１０としては、測定対象電線の周りに環状に配置される閉鎖磁路を形成する磁気コアと磁気コアの磁気を検出するホール素子や検出コイルからなる磁気センサとを備えたものがある。また、ケーブルタイプのフレキシブル電流センサもある。
測定装置本体２０は、電流センサ１０の出力が入力される増幅器２１と、この増幅器の出力が入力されるローパスフィルタ（ＬＰＦ）２２と、増幅器２１の出力、または、ローパスフィルタ２２の出力とを選択するスイッチ２３と、このスイッチ２３の出力が入力されるアナログディジタル変換器（Ａ／Ｄ）２４とを備える。また、測定装置本体２０は、演算手段であるＣＰＵ（Central Processing Unit ）２６と、プログラムあるいはデータ、演算結果等を記憶するメモリ２７と、ＣＰＵ２６にインタフェース（Ｉ／０）２８を介して接続されている操作部３１と、通信部３２と、表示部（ＬＣＤ）３３と、音響出力部３４とを備えている。
【０００５】
この図６に示した測定装置の動作を説明する。
電流センサ１０から出力される信号は、増幅器２１で増幅され、分岐した一方の信号は、スイッチ２３の一方の入力端子に、分岐した他方の信号は、ローパスフィルタ２２を通過して商用周波数に対して高い周波数成分が除去されてスイッチ２３の他方の入力端子に入力される。スイッチ２３は、増幅器２１の出力、または、ローパスフィルタ２２の出力の一方を選択して、その出力は、アナログディジタル変換器２４に入力される。ローパスフィルタ２２は、カットオフ周波数をたとえば１５０Ｈｚまたは１８０Ｈｚとするフィルタで、商用周波数成分を通過させ、商用周波数に混入した高調波などの高い周波数成分を除去するフィルタである。なお、以下で符号２２で示されるローパスフィルタは、単にフィルタと略することがある。
アナログディジタル変換器２４は、入力された信号をディジタル信号に変換し、ディジタル信号をＣＰＵ２６に出力する。ＣＰＵ２６は、メモリ２７に記憶されているプログラムに基づいて、アナログディジタル変換器から入力されたディジタル信号を演算して、測定対象電線の電流値を演算する。この出力は、インタフェース２８を介して、表示部３３に表示され、また演算された測定値は、メモリ２７にも記憶される。また、入力された信号は、たとえば移動平均値などを演算して測定値を演算するために、メモリ２７に記憶される。操作部３１は、各種設定、操作の入力を行う。通信部３２は、たとえばブルートゥース(Blue tooth  登録商標)により外部に測定値等の情報を出力することを可能とする。また、音響出力部３４は、各種操作等の音響を出力することができる。
このようなクランプメータについては特許文献１に記載されている。
【０００６】
ここで、ローパスフィルタ２２の動作について説明する。
近年の各種電気機械器具の電源部には、インバータを備えており、電源線には、インバータによって生ずる高調波による商用周波数より高い周波数成分が混入することがある。また、電源でのＵＰＳなどの利用も、電源線に高い周波数の高調波成分が混入する原因となっている。
このような、高い周波数成分を含めて測定対象電線に流れる電流として検出すると、測定目的によっては、不正確な測定となることがある。
たとえば、漏れ電流測定で、商用周波数成分に加えて、高い周波数成分を含めた電流値として検出すると、本来の漏れ電流の値より、測定電流値は大きくなる。一方、漏れ電流は、商用周波数成分について地絡が生じている現象であるので、高い周波数成分も含めて検出すると、漏れ電流値として検出した値が大きくなりすぎて、正確な漏れ電流値とならない。このため、上述のように、５０Ｈｚまたは６０Ｈｚの商用電源周波数帯域を通過させ、高い周波数成分をカットするように、カットオフ周波数を１５０Ｈｚあるいは１８０Ｈｚとするローパスフィルタが設けられている。
【０００７】
もし、漏れ電流検出において、高い周波数成分を含めて漏れ電流値として検出すると、不正確な測定となって漏れ電流箇所の探索に誤りが生じ、漏れ電流箇所の探索作業に手戻りが生じてしまい。漏れ電流箇所の探索に時間がかかることになる。
【０００８】
このような不都合が生ずることを懸念して、漏れ電流検知には、スイッチ２３を操作して、フィルタ２２をオンにするとともに、フィルタの設定を行って電流測定を行うようにしている。一方、電気機器の負荷電流の測定では、機器の負荷に流れる電流を検出するため、フィルタをオフとして、測定対象電線に流れる全体の電流測定を行う必要がある。
【先行技術文献】
【特許文献】
【０００９】
【特許文献１】特開２００９−００２５３９号公報
【発明の概要】
【発明が解決しようとする課題】
【００１０】
上述のクランプメータは、分電盤等の現場で使用されるものである。フィルタ機能のオン、オフやパラメータ等の設定作業は、測定の都度、作業者が行う必要がある。たとえば、作業者が測定前にクランプメータのフィルタ機能を設定（たとえばスイッチ２３でフィルタ２２をオン）して、測定対象電線にクランプする。クランプメータの表示部３３に、設定に基づく測定値が表示される。
【００１１】
しかしながら、上述のように、漏れ電流の検出のときは、フィルタを設定し、電気機器の負荷電流の測定では、フィルタをオフして使用するというように、使用目的によってフィルタをオンオフする必要があり、フィルタをオンしなければいけないのに、フィルタをオフの状態で測定を行ってしまうことが生じていた。本来フィルタを用いて不要な信号を除去して測定すべき状態でフィルタなしで測定した測定値は不正確なものとなる。このような不正確な測定値をもとに、漏れ電流箇所を探索しようとすれば、無駄な作業が生じ、漏れ電流検知作業時間が長くかかる。また、逆に、フィルタをオフ状態にして測定すべきときに、フィルタをオン状態として測定すれば、誤った測定になってしまう。
【００１２】
本発明は、このような、フィルタを介さない信号とフィルタを介した信号を入力して、それぞれの測定値を演算、出力することができる測定装置において、フィルタ機能が設定されていないことを作業者に報知することができる測定装置を提供することを目的とする。また、本発明は、フィルタを介した信号とフィルタを介さない信号とを入力して比較し、両者の測定値を表示し、また両者の測定値の差分を表示して作業者に知らせることで、測定作業を効率化することができる測定装置を提供することを目的とする。
【課題を解決するための手段】
【００１３】
本発明の第一の側面は、センサが取得した測定対象電線の信号が入力され測定値を演算する演算手段を含む信号処理部を有し、信号が信号処理部に入力される経路には、フィルタを介して信号処理部に入力される経路と、フィルタを介さずに信号処理部に入力される経路とを有する、測定装置であって、フィルタを介さない信号と、フィルタを介した信号とが並列して信号処理部に入力され、信号処理部は、フィルタを介さない信号の測定値とフィルタを介した信号の測定値とを比較する比較手段を有することを特徴とする。
【００１４】
なお、本発明の信号処理部は、フィルタを介さない信号の測定値とフィルタを介した信号の測定値との差が所定値以上である場合には、フィルタ設定を促す報知を行う手段を有することができる。また、フィルタを介さない信号の測定値とフィルタを介した信号の測定値との差が所定値以上である場合には、その旨を報知する、または、測定値の両方の測定値を出力することができる。また、フィルタを介さない信号の測定値とフィルタを介した信号の測定値との差の値を出力する手段を備えることができる。
【００１５】
さらに、本発明の測定装置は、クランプセンサを介して測定対象電線の電流を測定するクランプメータであって、フィルタは、商用周波数より高い周波数成分を除去するローパスフィルタであり、測定対象電線の漏れ電流を測定するときは、ローパスフィルタにより商用周波数より高い周波数成分を除去した漏れ電流の測定を行うことができる。
【発明の効果】
【００１６】
フィルタを介さない信号とフィルタを介した信号とからそれぞれ測定値を得て、これらを比較することができるので、フィルタ機能が有効となっていないことを報知して設定を促し、あるいは、両方の測定値、測定値の差などが表されて作業者が知ることができるので、漏れ電流の検知などの測定作業の効率化を図ることができる。
【図面の簡単な説明】
【００１７】
【図１】本発明の実施の形態であるクランプメータの構成の一例を示す図である。
【図２】本発明の実施の形態のクランプメータの動作の一例を説明するフローチャートである。
【図３】本発明の実施の形態のクランプメータの動作の一例を説明するフローチャートである。
【図４】本発明の実施の形態のクランプメータの動作の一例を説明するフローチャートである。
【図５】本発明の実施の形態のクランプメータの動作の一例を説明するフローチャートである。
【図６】従来のクランプメータの構成の一例を示す図である。
【発明を実施するための形態】
【００１８】
以下図面を参照して本発明の実施の形態を説明する。図１は、本発明の第一実施の形態のクランプメータの構成を示す図であり、図６に示す従来のクランプメータと同一のものと同じ構成については同一の符号をしている。
【００１９】
クランプメータの測定装置は、測定装置本体２０に、測定対象電線にクランプされる電流センサ１０が接続される。この実施形態のクランプメータの測定装置本体２０は、電流センサ１０からの信号を増幅する増幅器２１と、増幅器２１からの信号から商用周波数より高い周波数の信号を除去するローパスフィルタ２２と、増幅器２１の出力をアナログディジタル変換するアナログディジタル変換器２４と、ローパスフィルタ２２の出力をアナログディジタル変換するアナログディジタル変換器２５と、アナログディジタル変換器２４の出力およびアナログディジタル変換器２５の出力が入力されるＣＰＵ２６と、メモリ２７と、ＣＰＵ２６にインタフェース２８を介して接続される操作部３１、通信部３２、表示部３３、音響出力部３４とを備えている。
図６の従来例のクランプメータと比較すると、スイッチ２３を設けることなく、増幅器２１の出力をそのままアナログディジタル変換を行うアナログディジタル変換器２４と、ローパスフィルタ２２の出力をそのままアナログディジタル変換するアナログディジタル変換器２５とを備えており、ふたつのアナログディジタル変換器２４、２５の出力が並列して同時にＣＰＵ２６に入力され、フィルタ２２を介した信号とフィルタ２２を介さない信号の両者から測定値を演算して、比較する構成である点が相違している。
【００２０】
（第一の使用形態）
次にこの本発明の実施の形態のクランプメータの第一の使用形態の動作を説明する。
まず、フィルタ機能の設定の必要性の報知をする例を図２に基づいて説明する。なお、このフィルタ機能の設定は、作業者が操作部３１を介してフィルタの設定を行う例であり、スイッチを操作することなく、フィルタ機能の設定を行う例で説明する。
【００２１】
作業者は、測定対象電線に電流センサ１０をクランプして、測定開始指示を行う（ステップＳ１１）。これにより、電流センサ１０の出力は、フィルタ２２を介さない信号とフィルタ２２を介した信号の両者がＣＰＵ２６に同時に入力されることになる。そして、ＣＰＵ２６は、フィルタ２２を介した信号と介さない信号との両方の信号から電流値をそれぞれ演算する（ステップＳ１２）。ここで、ＣＰＵ２６は、演算した結果の電流値を比較して、両者に差があるか否かを判定する（ステップＳ１３）。
【００２２】
この差の判定方法としては、以下のような判定方法がある。
まず、フィルタを介した信号による電力の実効値×αが、フィルタを介さない信号による電力の実効値より小さい場合に差があると判定する。
フィルタオン実効値×α＜フィルタオフ実効値（αは任意に設定）
あるいは、フィルタを介した信号による電力の実効値からフィルタを介さない信号による電力の実効値を引いた値が、任意に設定されたβの値より大きい場合に差があると判定する。
｜フィルタオン実効値−フィルタオフ実効値｜＞β（βは任意に設定）
このような条件を満たすときは、フィルタの設定を促す警告を行う（ステップＳ１４）。この警告としては、たとえば表示部３３に、「ＦＩＬＴＥＲ」の文字を表示して作業者にフィルタの設定を促すようにする。また、音響出力部３４でブザー音を出力したり、フィルタを設定してくださいとの音声出力を行ってもよい。両者に差がないと判断した場合には、フィルタ設定の警告をしない（ステップＳ１５）。
【００２３】
この実施の形態では、フィルタ２２を介さない信号とフィルタ２２を介する信号が並列してＣＰＵ２６に入力されて、両者の信号による測定値の演算結果をそれぞれ得て、その測定値を比較しているので、周波数帯域によって異なる測定値を同時に比較することができ、周波数帯域によって異なる測定値がある場合の電流測定をより正確に測定することを可能である。
なお、フィルタ機能の設定は、操作部３１を作業者が操作することで行うことができ、任意に設定することができる、α、βの値を入力するとともに、フィルタを介した信号による測定値を出力（あるいは記憶する）、フィルタを介さない信号による測定値を出力あるいは記憶する等の指示を行う。
【００２４】
本実施の形態では、作業者がフィルタの設定をし忘れていた場合に生ずる測定作業の手戻りを防止することが可能であり、また、作業者がフィルタ機能を適切に設定することができるので、誤り測定を防止することが可能である。
【００２５】
（第二の使用の形態）
つぎに、本発明の実施の形態のクランプメータを用いて、フィルタを介さない信号とフィルタを介した信号の両方の信号から演算した測定値の両方の測定値を表示する第二の使用の例を図３を参照して説明する。図１に示すクランプメータの構成では、フィルタを介した信号とフィルタを介さない信号の両方の信号がＣＰＵ２６に入力されて、ＣＰＵ２６は、両方の信号から、測定値を演算することができる。この両方の測定値をクランプメータの表示部で表示することで、測定している作業者は、測定対象電線に流れている電流のフィルタありとフィルタなしの測定値を読み取ることが可能である。
作業者は、測定対象電線に電流センサ１０をクランプして、測定開始指示を行う（ステップＳ２１）。これにより、ＣＰＵ２６は、フィルタ２２を介した信号とフィルタ２２を介さない信号との両方の信号から電流値をそれぞれ演算する（ステップＳ２２）。そして、ＣＰＵ２６は、演算した結果の両方の測定値を、表示部３３に、フィルタオン、フィルタオフの表示をして、表示する（ステップＳ２３）。
【００２６】
作業者は、フィルタ機能がオンの状態の測定値とフィルタ機能がオフの状態の測定値の両方が表示されているので、装置のフィルタ機能の設定をし忘れによる手戻りを少なくすることができる。また、フィルタ機能があり、なしによる電流測定値を知ることができるので、その測定値の値から測定している電線に生じている現象の推測が可能である。たとえば、非常に高調波の混入が大きいとか、あるいは、ほぼ高調波が混入されておらず、漏れ電流のみを検出している等などを表示された両方の測定値から推測することが可能である。
【００２７】
（第三の使用の形態）
第二の使用の形態では、フィルタオンの状態の測定値とフィルタオフの状態の測定値とを表示するようにしたが、両者の差分を表示することもできる。
【００２８】
図４に基づいて説明する。
作業者は、測定対象電線に電流センサ１０をクランプして、測定開始指示を行う（ステップＳ３１）。これにより、ＣＰＵ２６は、フィルタ２２を介した信号とフィルタ２２を介さない信号との両方の信号から電流値をそれぞれ演算して、両者の差分を演算する（ステップＳ３２）。そして、ＣＰＵ２６は、演算したフィルタオンとフィルタオフとの測定電流値の差分を表示部３３に表示させる。
【００２９】
これにより、作業者は、クランプメータのフィルタ機能の設定を切り替えることなく、フィルタを介したときの測定値とフィルタを介さないときの測定値の差分を知ることができるので、作業の効率化を図ることができる。また、その差分から、高い周波数成分の混入がどれだけあるかを知ることができる。
【００３０】
（その他の使用の形態）
本発明のクランプメータは、電流センサからの測定信号がフィルタを介さない測定信号とフィルタを介した測定信号の両方の信号が並列してＣＰＵ２６に入力されて演算処理が行われる。ＣＰＵ２６に波形解析などの解析機能があれば、波形解析や周波数成分の解析を行って、その結果を表示することができる。
それにより、どの程度の商用周波数を超える高い周波数成分が混入しているかを計測することが可能である。たとえば、そのような解析として、漏れ電流の歪み波形の解析、混入した高調波の解析などをすることができる。
【００３１】
図５を参照して、このような周波数解析の例を説明する。
作業者は、測定対象電線に電流センサ１０をクランプして、測定開始指示を行う（ステップＳ３１）。これにより、ＣＰＵ２６は、フィルタ２２を介した信号とフィルタ２２を介さない信号との両方の信号から電流測定値をそれぞれ演算して比較する（ステップＳ４２）。そして、作業者の指示により、商用周波数を超える高い周波数成分の混入があるので、周波数成分の解析を行い（ステップＳ４３）、その結果を表示部３３に表示する（ステップＳ４４）。この高い周波数成分の表示は、フィルタを介さない信号の周波数解析を行って、周波数分布をグラフなどで表示する。
【００３２】
このように周波数解析を行うことで、漏れ電流自体の歪み波形も解析することができ、漏れ箇所だけでなく、歪んだ漏れ電流の解析から原因の究明を可能である。
【００３３】
（その他の実施の形態）
上述の実施の形態の説明は、測定対象電線の電流を計測するクランプメータを例として説明したが、電圧計、電力計などで実施できるのはいうまでもなく、また、センサを測定対象電線にクランプする測定装置に限られないことはいうまでもない。
【００３４】
また、実施の形態では、アナログディジタル変換器をふたつ設けた例で説明したが、フィルタを介さない信号とフィルタを介した信号の両方をアナログディジタル変換器で時分割サンプリングを行うことで、アナログディジタル変換器を一つにしてもよい。この場合には、ＣＰＵにて、時分割サンプリングされたフィルタを介した信号のディジタル信号と、フィルタを介さない信号のディジタル信号とから、ふたつの測定値を演算して比較すればよい。
【符号の説明】
【００３５】
１０  電流センサ
２０  測定装置本体
２１  増幅器（ＡＭＰ）
２２  ローパスフィルタ（ＬＰＦ）
２３  スイッチ
２４、２５  アナログディジタル変換器（Ａ／Ｄ）
２６  ＣＰＵ
２７  メモリ
２８  インタフェース（Ｉ／Ｏ）
３１  操作部
３２  通信部
３３  表示部
３４  音響出力部
【図１】
2020026958.tif 000003
【図２】
2020026958.tif 000004
【図３】
2020026958.tif 000005
【図４】
2020026958.tif 000006
【図５】
2020026958.tif 000007
【図６】
2020026958.tif 000008